(57)【要約】【課題】  天井板の吊り装置を簡単な構造とし、施工時の繁雑さを改善し、しかも天井と防音天井板との間隔をできるだけ小間隙とする天井板の吊り装置を提供することを目的とする。【解決手段】  天井スラブ１５あるいは既設の天井面に固定されるボルト１６と防音天井板吊り装置１の吊りボルト９が平行に配置され、互いに重なり合う部分を形成することにより、前記吊りボルト９の下端と防振部材３の下面の上下方向の距離を限りなく短縮する。【選択図】  図６
2007039916.tif 000002
【特許請求の範囲】
【請求項１】
天井の下面に固定ボルトを植設し、該天井と小間隙を保って防音天井板を支持するための装置において、
前記ボルトを貫通させる孔を中央部に貫通して開孔した防振部材と、該防振部材を介して前記防音天井板を支持する中間支持部材とからなり、
前記中間支持部材は、前記防振部材の上面に当接し、該防振部材の一部を貫通突出させる横辺と、防振部材の側方に沿って延びる縦辺からなるＬ形金物と、前記縦辺に前記固定ボルトと平行するように固定された吊りボルトで構成されていることを特徴とする防音天井板の吊り装置。
【請求項２】
前記防振部材は、天井の重量を負担する本体部と、前記金物の支持部に設けられた穴を貫通して伸長された筒状部を、全体がゴムによって一体的に形成されていることを特徴とする請求項１記載の防音天井板の吊り装置。
【請求項３】
前記吊りボルトは、一部が扁平に成形され、該成形部分を前記Ｌ形金物の縦辺に溶接されていることを特徴とする請求項１記載の防音天井板の吊り装置。
【発明の詳細な説明】
【技術分野】
【０００１】
本発明は、構造の建造物内に防音室を形成するための防音天井板を天井板ないし上階の下面に吊り下げるための装置に関する。
【背景技術】
【０００２】
一般的に音楽愛好家は楽器演奏や音楽鑑賞の目的で防音室を作成したり、スタジオを借りたりして、近隣への騒音を防いでいる。また、音楽愛好家の中には消音型の練習用楽器を自宅で利用することもあるが、臨場感に欠けるという欠点がある。また、近隣への騒音を考慮すると、自宅での楽器練習をあきらめざるを得ない状況にある。このような状況にあって、音楽愛好家のいる一般家庭に防音室の設置が望まれている。
【０００３】
一般家庭において防音室を形成する方法として、地下室を防音室へ改造する方法があるが、地下室を持つ家は少なく、また、新たに地下室を形成することは実質的に不可能である。従って一般住宅や集合住宅の場合は、一室の中に防音室を形成するように改造する方法が採用されるが、この場合は元の室内にさらに天井板を吊り下げた二重天井構造となるので、この防音室の天井は低くなって必然的に狭くて圧迫感のある室内となっている。
【０００４】
一般家屋空間の天井の下に防音室の天井を吊る方法で形成される二重天井として、家屋の天井に固定された吊り部材（ボルト）と防振部材（防振ゴム）と天井板に固定される吊り具（ボルトなど）を直線的に形成したもので、前記天井板と家屋の天井との間に３００から６００ｍｍ以上の空気層を形成する構造が知られている（特許文献１）。
【０００５】
また、天井板の吊り装置として２個のコ字形金具を２個のフランジが重なるように対向させ、このフランジの間に防振ゴムを狭持させるものが知られている（特許文献２）。
【特許文献１】特開２００５−００９１４７号公報
【特許文献２】特開２００３−２７６５５号公報
【発明の開示】
【発明が解決しようとする課題】
【０００６】
一般的に知られている二重天井構造の防振天井の吊り構造としては、図９に例示するように天井１５（あるいは上階のコンクリートスラブ）に固定された吊り部４０（ボルト）に固定されるハンガー４１の内部に支持される防振部材４１ａ（防振ゴム）と、このハンガー４１の下方に連結される吊り具４２（ボルト）を介して天井板４３が吊り上げられており、前記吊り部４０や吊り具４２は直線棒状に連結されている。
【０００７】
このような二重天井構造の防振天井の吊り装置が提案されている上記特許文献１によると、天井１５と防音天井板４３の上面との間隔Ｈ１は、３００から６００ｍｍ以上を必要としている。従って、一般家屋やマンションの一般的な階高は３０００ｍｍであるから、床面４７と天井１５の間の天井高Ｈは２６００ｍｍのものが多く、従って、その室内の天井高Ｈ２は２０００ｍｍ以下に制限され、著しく低くなり、狭苦しく感ずるという問題があり、更に、音響的にも制約がある。
【０００８】
また、上記特許文献２に記載された天井の吊り具は、コ字形金具を２個使用してこれらを上下に配置し、上方のコ字形金具の下フランジ部と下方の上フランジ部とを重なるように対向させ、前記上下のフランジ部に防振ゴムを支持させ、前記防振ゴムとフランジ部とをボルトを貫通させて支持した金具の構造である。
【０００９】
この天井吊り具は、２個のコ字形金具の相互の状態や位置を調整できる点に優れている。しかしながらコ字形金具の天井と天井板への取り付ける際の作業はコ字形金具の開口部が小さく、しかも天井の高さでの作業であるから、効率よく行えないという問題がある。
【００１０】
従って、コ字形金具をあまり小型にすることができないという制約から建物の天井（あるいは上階のコンクリートスラブ）と新たに設置する防音天井板との間隔が大きくならざるを得ないという問題がある上に、吊り金具の部材が多くなるという問題がある。
【００１１】
本発明は、上記従来の二重天井構造による防音天井においての天井高が著しく低くなり圧迫感があるという問題点に鑑みてなしたものであり、天井板の吊り装置を簡単な構造とし、施工時の繁雑さを改善し、しかも天井と防音天井板との間隔をできるだけ小間隙とする天井板の吊り装置を提供することを目的とする。
【課題を解決するための手段】
【００１２】
前記目的を達成するための本発明に係る防音天井板吊り装置は、天井の下面に固定ボルトを植設し、該天井と小間隙を保って防音天井板を支持するための装置において、前記ボルトを貫通させる孔を中央部に貫通して開孔した防振部材と、該防振部材を介して前記防音天井板を支持する中間支持部材とからなり、前記中間支持部材は、前記防振部材の上面に当接し、該防振部材の一部を貫通突出させる横辺と、防振部材の側方に沿って延びる縦辺からなるＬ形金物と、前記縦辺に前記固定ボルトと平行するように固定された吊りボルトで構成されていることを特徴としている。
【発明の効果】
【００１３】
本発明に係る防音天井板吊り装置によると、防振部材の２倍程度の長さの吊り装置とすることができるので、従来の天井と防音天井板との間隔の１／２ないし１／５、すなわち１１０〜１５０ｍｍ、特に１３０ｍｍ程度の距離に短縮することができる。
【００１４】
また、本発明の防音天井板の吊り装置は簡単な構造を有しているので、軽量で施工時の作業性を向上することができ、また、安価に提供できる。
【００１５】
一般家屋やマンションにおける防音天井の形成で、本発明の防音天井板の吊り装置を用いることによって元の室内の天井高を可能な限り犠牲とすることのない、圧迫感のない室内が提供される。
【発明を実施するための最良の形態】
【００１６】
次に、図面を参照して本発明に係る防音天井板の吊り装置の実施の形態について説明する。
【００１７】
本発明の防音天井板吊り装置１は、図１に示すように中間支持部材２に防振部材３（防振ゴム）を係合させて構成している。
【００１８】
この防振部材３は図３に示すような円筒状の本体４と、これの上方に延長された筒状部５と、この筒状部５と本体４を貫通する貫通孔７を開孔し、さらに下面に座金１２を配置した状態で一体的にゴムで形成されている。前記ゴムの材料は天然ゴム、クロロプレンゴム、ネオプレンゴム等を使用することができる。
【００１９】
中間支持部材２は、図４および図５に示すようにＬ形金物８と吊りボルト９で構成されており、Ｌ形金物８はアングル材を所定の長さに切断して形成されたもので、横辺８ａの中央に穴１０を開口し、縦辺８ｂの内面中央部に吊りボルト９を溶接９ａしている。
【００２０】
吊り装置を組み立てる際は、中間支持部材２のＬ形金物８の横辺８ａの穴１０に、下方より防振部材３の筒状部５を挿入して一体化して図１のような防音天井吊り装置１を形成する。図１より理解できるように、防振部材３の本体４に沿って縦辺８ｂと吊りボルト９が平行して配置されており防振部材３と吊りボルト９との上下方向の全長を著しく短縮した構造になっている。
【００２１】
図１のように、中間支持部材２のＬ形金物８の横辺８ａの穴１０内に防振部材３を挿入し、溝部６と前記穴１０とを単に嵌合させたのみでは防振部材３にぐらつきが発生することがあるので、図２に示すように横辺８ａの上面にスペーサー１１を介在させて組立てることによって中間支持部材２に防振部材３を確実に固定することができる。
【００２２】
吊りボルト９は上部をプレス機で押圧して平面状に形成して縦辺８ｂに安定して接触させた状態で溶接９ａによって固定している。また、この縦辺８ｂの両側には小孔８ｃを開口して天井板の吊り作業の際に例えば吊り線などを固定できるように配慮している。
（天井吊り作業）
本発明にかかる防音天井板吊り装置１を固定する作業は、図６に示すようにまず家屋の上階床スラブ１５（あるいは既設の天井面）にコンクリートアンカーａを植設するための下穴ｈをコンクリートドリルもしくはハンマードリルによって、例えば９００ｍｍピッチの碁盤目状にあける。
【００２３】
前記のようにしてあけた下穴ｈにコンクリートアンカーａを入れて打込み棒等を使って打込み固定する。次に前記アンカーａに固定ボルト１６を螺入し、この固定ボルト１６に本発明に係る防音天井板吊り装置１の防振部材３を嵌合した後、ナット１７を螺合して固定する。この場合、上階床スラブ１５の下面とＬ型金物８の横辺８ａとの間隙が一定となるようにナット１７の羅合位置を調整する。この状態においては筒状部５は図６のように押圧された状態となり、通常は６〜８ｍｍの間隙となる。
【００２４】
なお、固定ボルト１６に取付ける前の前記防音天井板吊り装置１には、予め野縁受け保持用金物１８を挿入してナット１９で落下を防止する状態になっている。もしくは、固定ボルト１６に防音天井板吊り装置１を嵌合後に、前記吊り装置１に野縁受け保持用金物１８を野縁受け２１を支持させた状態を保ちながらナット１９で螺着してもよい。
【００２５】
前記のように上階床スラブ１５に固定された固定ボルト１６に防音天井板吊り装置１が取付けられると、図７に示すように、複数個の野縁受け保持用金物１８の間に野縁受け２１を支持させる。なお、この状態では野縁受け２１の上階床スラブ１５に対する位置は水平に調整されていない。
【００２６】
次いで吊りボルト９に螺合されているナット１９を回して上階床スラブ１５に対する野縁受け２１との間隔を調整して部屋全体の野縁受け２１の位置を調整する。このナット１９の位置が決定されたならば、このナット１９を吊りボルト９に溶接Ｗして固定する。
【００２７】
次に、前記野縁受け２１に例えば３００ｍｍピッチで野縁保持用金物２２を取付け、この野縁保持用金物２２に野縁２３を取付けることで天井板２５を貼付ける防音天井の下地を形成する。
【００２８】
このように形成された天井下地の野縁２３の下面に天井板２５を形成する石膏ボードＢ１（例えば２層程度）と岩綿ボードＢ２（例えば１層程度）を下から押し当て、次いで天井板２５は野縁２３にボードビス２６を螺着し固定され防音室を形成する防音天井板の取付けが完了する。さらに防音効果を高めるために前記防音天井板の上面にグラスウール２７を敷き詰めてもよい。
【００２９】
なお、防音天井板吊り装置１の中間支持部材２に溶接される吊りボルト９を変更することで上階床スラブ１５と防音天井板２５の上面との間隔Ｈ１が調節自在であり、例えば図８に示すように野縁受けを直接支持するようなこともできる。
【００３０】
以上のごとく、本発明に係る防音天井板吊り装置１は、天井スラブ１５あるいは既設の天井面に固定されるボルト１６と防音天井板吊り装置１の吊りボルト９が平行に配置され、互いに重なり合う部分を形成することにより、前記吊りボルト９の下端と防振部材３の下面の上下方向の距離を限りなく短縮することが可能となり、野縁受け保持用金物１８の支持位置Ｈ０が従来より上方に移動することになった。
【００３１】
その結果、防振部材３の２倍程度の長さの吊り装置１を構成することができるので、天井スラブ１５あるいは既設の天井面と新規に形成される防音天井板２５の上面の間隙を著しく短縮することができる。
【００３２】
また、防音天井吊り装置１の中間支持部材２に溶接される吊りボルト９を変更することにより、天井スラブ１５あるいは既設の天井面と新規に形成される防音天井板２５の上面の間隙を自在に調節できる。
【図面の簡単な説明】
【００３３】
【図１】実施の形態に係る防音天井板の吊り装置の一部切断正面図である
【図２】同吊り装置の上部の一部切断正面図である
【図３】防振部材の正面図である
【図４】Ｌ形金物の平面図である
【図５】Ｌ形金物の正面図である
【図６】吊り装置を天井部に取付けた状態を示す正面図である
【図７】防音天井板を吊り下げた状態を示す正面図である
【図８】防音天井板を野縁受けを介して支持した状態を示す正面図である
【図９】従来の天井吊り金具で防音天井板を支持した状態を示す正面図である。
【符号の説明】
【００３４】
Ｈ１  天井と防音天井板との間隙        
１  防音天井板吊り装置        ２  中間支持部材        ３  防振部材        
４  防振部材の本体        ５  防振部材の筒上部        
６  防振部材の溝部        ７  防振材の貫通孔        ８  Ｌ形金物        
８ａ  中間支持部材の横辺        ８ｂ  中間支持部材の縦辺
９  吊りボルト        ９ａ  溶接部        １０  防振部材嵌合用穴        
１１  スペーサー        １２  座金        
１５  天井あるいは上階床スラブ        １６  固定ボルト        
１８  野縁受け保持用金物        ２１  野縁受け        
２２  野縁保持用金物        ２３  野縁        ２５  天井板        
【図１】
2007039916.tif 000003
【図２】
2007039916.tif 000004
【図３】
2007039916.tif 000005
【図４】
2007039916.tif 000006
【図５】
2007039916.tif 000007
【図６】
2007039916.tif 000008
【図７】
2007039916.tif 000009
【図８】
2007039916.tif 000010
【図９】
2007039916.tif 000011